(57)【特許請求の範囲】
【請求項１】
灯具を鉛直方向に揺動可能で、かつ水平方向に回転可能に備え、前記灯具に高温部を備え、天井などの取付面に灯具を埋め込んだ状態に支持する取付部を備えた埋込型照明器具において、
前記灯具を鉛直方向および傾斜方向に揺動させた際に前記灯具を投影で隠すように前記灯具の上部に設けられ、かつ、前記灯具を水平方向に回転させた際に前記取付部に当接しないように配置された天板と、
前記灯具に設けられて前記高温部から熱を逃がす放熱穴を覆うとともに、前記天板に対して小型に形成された遮蔽板と、
を備えたことを特徴とする埋込型照明器具。
【請求項２】
前記高温部は、前記灯具の光源を覆うセードと、前記放熱穴とを備えたことを特徴とする請求項１記載の埋込型照明器具。
【発明の詳細な説明】
【技術分野】
【０００１】
本発明は、天井や壁などに埋め込んで、灯具を鉛直方向や水平方向に回転可能な埋込型照明器具に関するものである。
【背景技術】
【０００２】
従来の埋込型照明器具は、天井に本体が埋め込まれた状態に取り付けられ、本体に灯具が設けられ、灯具のランプ、反射鏡（セード）や熱遮蔽部などで高温部が構成され、熱遮蔽部に高温部の熱を逃がす放熱穴が形成され、灯具の上方を覆う天板が設けられている（例えば、特許文献１参照）。
【特許文献１】特許第３８７７１７５号公報
【０００３】
ところで、埋込型照明器具のなかには、灯具を鉛直方向に揺動可能で、かつ水平方向に回転可能に備え、小型化されたものがある。
埋込型照明器具を小型化することで、高温部の割合が大きくなり、大きくなった高温部を覆うために大きな天板を備えている。
【発明の開示】
【発明が解決しようとする課題】
【０００４】
しかし、天板が大きくなると、埋込型照明器具を天井に取り付ける取付部（板ばね）に当接しないように、取付部から天板を離す必要がある。
このため、灯具を鉛直方向に揺動させて傾斜した際に、高温部から天板が大きく離れて高温部の開口が大きくなり、他器具の電源線などが入り込みやすくなるという問題があった。
【０００５】
本発明は、前述した要望を満たすためになされたもので、その目的は、灯具を鉛直方向に揺動させて傾斜した際に高温部の開口を小さく抑えることができる埋込型照明器具を提供することにある。
【課題を解決するための手段】
【０００６】
本発明の埋込型照明器具は、灯具を鉛直方向に揺動可能で、かつ水平方向に回転可能に備え、前記灯具に高温部を備え、天井などの取付面に灯具を埋め込んだ状態に支持する取付部を備えた埋込型照明器具において、前記灯具を鉛直方向および傾斜方向に揺動させた際に前記灯具を投影で隠すように前記灯具の上部に設けられ、かつ、前記灯具を水平方向に回転させた際に前記取付部に当接しないように配置された天板と、前記灯具に設けられて前記高温部から熱を逃がす放熱穴を覆うとともに、前記天板に対して小型に形成された遮蔽板と、を備えたことを特徴とする。
【０００７】
灯具に天板を設けるとともに遮蔽板を設けた。この遮蔽板は、高温部から熱を逃がす放熱穴を覆うとともに、天板に対して小型に形成されている。
遮蔽板を小型に形成することで、埋込型照明器具を天井に取り付ける取付部に、遮蔽板を近接させても、灯具を鉛直方向に揺動させて傾斜した際に、遮蔽板が取付部に当接することを防ぐことができる。
【０００８】
このように、取付部に小型の遮蔽板を近接させることで、灯具を鉛直方向に揺動させて傾斜した際に、高温部の開口を遮蔽板で小さく抑えることができ、他器具の電源線などが高温部側に入り込むことを防ぐことができる。
【０００９】
また、本発明は、前記高温部は、前記灯具の光源を覆うセードと、前記放熱穴とを備えたことを特徴とする。
【００１０】
セードを備えることで、ランプから出る余分な光を遮り、器具外観、照射面の光ムラを低減できる。
よって、埋込型照明器具に、ダイクール電球を使用した場合、電球のミラー背面に熱線（赤い光）が出るが、セードを用いることで、この熱線（赤い光）が照射面に写ることを防ぐことができる。
さらに、ユニバーサルダウンライトの場合、照射方向を調整する際に、セードを操作することでランプに無理な力をかけることなく調整ができる。
【００１１】
また、熱遮蔽部に放熱穴を形成することで、放熱穴をランプの上方に設けることができる。放熱穴をランプの上方に設けることで、セード内に対流が起こり、ランプ周囲の放熱性を高めることが可能になり、ランプ自体の温度を低減できる。
特に、埋込型照明器具を小型化した場合、ランプが高温になり、ランプが短寿命となることが考えられるが、放熱穴をランプの上方に設けることで、ランプの短寿命化を防止できる。
加えて、放熱穴をランプの上方に設けることで、セード自体および埋込型照明器具の枠体、器具取付部（造営材）の温度も下げることができ、器具の小型化を図ることができる。
【発明の効果】
【００１２】
本発明の埋込型照明器具によれば、取付部に小型の遮蔽板を近接させることで、灯具を鉛直方向に揺動させて傾斜した際に高温部の開口を小さく抑えることができるという効果を有する。
【発明を実施するための最良の形態】
【００１３】
以下、本発明の実施形態に係る埋込型照明器具について、図面を参照して説明する。
図１〜図２に示すように、本実施形態の埋込型照明器具１０は、取付面としての天井１１に埋め込まれた枠体１２と、枠体１２内に配置された灯具１３と、灯具１３のソケット台（上部）１４に設けられた天板１５および遮蔽板１６とを備えている。
【００１４】
枠体１２は、側壁２１の上端部２１Ａに灯具１３のソケット台１４を貫通可能な貫通用開口が形成され、下端部２１Ｂに照射光が通過する照射用開口部２３が形成されるとともに張出部２４が形成されている。
枠体１２には、埋込型照明器具１０を天井１１に埋め込んだ状態に支持する一対の板ばね（取付部）２５を備えている。
さらに、枠体１２には回転部２８が同軸上に回転自在に設けられ、回転部２８に揺動手段（図示せず）を介して取り付けられている。
【００１５】
よって、灯具１３は、揺動手段で鉛直方向に揺動可能で、かつ回転部２８で水平方向に回転可能に設けられている。
この灯具１３は、照射光を発光するランプ（図示せず）を備えた高温部（セード）３１と、高温部３１から上方に突出されたソケット台１４とを備えている。
【００１６】
高温部３１は、照射光を発光するランプ（図示せず）と、このランプを覆うセード３５と、セード３５の外側を覆う熱遮蔽部３６と、熱遮蔽部３６に形成された放熱穴３２とを備えている。
セード３５は、ランプの直視を防ぐように設計された不透明または半透明材料で作られた遮光物である。
【００１７】
セード３５を備えることで、ランプ（図示せず）から出る余分な光を遮り、器具外観、照射面の光ムラを低減できる。
よって、埋込型照明器具１０に、ダイクール電球を使用した場合、電球のミラー背面に熱線（赤い光）が出るが、セード３５を用いることで、この熱線（赤い光）が照射面に写ることを防ぐことができる。
さらに、ユニバーサルダウンライトの場合、照射方向を調整する際に、セード３５を操作することでランプに無理な力をかけることなく調整ができる。
【００１８】
また、熱遮蔽部３６に放熱穴３２を形成することで、放熱穴３２をランプ（図示せず）の上方に設けることができる。
放熱穴３２をランプの上方に設けることで、セード３５内に対流が起こり、ランプ周囲の放熱性を高めることが可能になり、ランプ自体の温度を低減できる。
【００１９】
特に、埋込型照明器具１０を小型化した場合、ランプが高温になり、ランプが短寿命となることが考えられるが、放熱穴３２をランプの上方に設けることで、ランプの短寿命化を防止できる。
加えて、放熱穴３２をランプの上方に設けることで、セード３５自体および埋込型照明器具１０の枠体１２、器具取付部（造営材）の温度も下げることができ、埋込型照明器具１０の小型化を図ることができる。
【００２０】
放熱穴３２は、高温部３１の熱を逃がすために、熱遮蔽部３６に設けられた開口である。
灯具１３のソケット台１４には、天板１５および遮蔽板１６が設けられている。
天板１５は、灯具１３のソケット台１４に設けられた矩形状の水平天板４１と、水平天板４１の左端部に設けられた傾斜天板４２とを有する。
【００２１】
水平天板４１は、灯具１３を鉛直位置Ｐ１に配置した状態で水平に配置されている。
この水平天板４１は、灯具１３を鉛直位置Ｐ１に配置した状態で、投影線４３が灯具１３の外側に位置するように形成されている。
よって、水平天板４１は、灯具１３を投影で隠すことができる。
【００２２】
傾斜天板４２は、傾斜角θ１を大きく確保することで、傾斜天板４２が板ばね２５に当接しないように配置されている。
この傾斜天板４２は、灯具１３を傾斜位置Ｐ２に配置した状態で、図３に示すように、投影線４４が灯具１３の外側に位置するように形成されている。
よって、傾斜天板４２は、灯具１３を投影で隠すことができる。
【００２３】
さらに、傾斜天板４２は、傾斜角θ１を大きく確保することで、揺動手段で灯具１３を鉛直方向に揺動させた際に、傾斜天板４２が板ばね２５に当接しないように配置される。
加えて、傾斜天板４２は、傾斜角θ１を大きく確保することで、回転部２８を回転して灯具１３を水平方向に回転させた際に、傾斜天板４２が板ばね２５に当接しないように配置されている。
【００２４】
天板１５の水平天板４１とともに遮蔽板１６がソケット台１４に取り付けられている。
この遮蔽板１６は、灯具１３に設けられて高温部３１から熱を逃がす放熱穴３２を覆うとともに、天板１５に対して小型（コンパクト）に形成されている。
【００２５】
具体的には、遮蔽板１６は、水平天板４１とともにベース部４５がソケット台１４に取り付けられ、ベース部４５の左端部に傾斜遮蔽部４６が設けられている。
傾斜遮蔽部４６は、傾斜天板４２に比較して小型の板材である。傾斜遮蔽部４６を小型の板材とすることで、板ばね２５に傾斜遮蔽部４６を近接させても、傾斜手段で灯具１３を鉛直方向に揺動させて傾斜した際に、傾斜遮蔽部４６が板ばね２５に当接することを防ぐことができる。
【００２６】
さらに、傾斜遮蔽部４６を小型の板材とすることで、板ばね２５に傾斜遮蔽部４６を近接させても、回転部で灯具１３を水平方向に回動させた際に、傾斜遮蔽部４６が板ばね２５に当接することを防ぐことができる。
【００２７】
よって、傾斜遮蔽部４６を、傾斜天板４２の傾斜角θ１に対して小さな傾斜角θ２で配置することができる。
このように、板ばね２５に傾斜遮蔽部４６を近接させることで、灯具１３を鉛直方向に揺動させて傾斜した際に、高温部３１の開口４８（図３参照）を傾斜遮蔽部４６で小さく抑えることができ、図示しない他器具の電源線などが開口４８から入り込むことを防ぐことができる。
【００２８】
つぎに、埋込型照明器具１０の灯具１３を鉛直位置Ｐ１および傾斜位置Ｐ２に配置した状態を図２〜図３に基づいて説明する。
図２に示すように、灯具１３を鉛直位置Ｐ１に配置した状態において、水平天板４１が水平に配置され、水平天板４１で灯具１３を投影で隠すことができる。傾斜天板４２が板ばね２５の上方近傍に配置されている。
一方、遮蔽板１６は、傾斜遮蔽部４６の先端部４６Ａが放熱穴３２の近傍に配置されている。
【００２９】
これにより、傾斜天板４２および傾斜遮蔽部４６で放熱穴３２を覆うことができるので、図示しない他器具の電源線などが高温部３１側に入り込むことを防ぐことができる。
加えて、傾斜天板４２および傾斜遮蔽部４６で放熱穴３２を覆うことで、天井１１の裏側（すなわち、天井裏）に、ランプから照射された照射光が漏れることを防ぐことができる。
【００３０】
図３に示すように、灯具１３を傾斜位置Ｐ２に配置した状態において、傾斜天板４２が水平に配置され、傾斜天板４２で灯具１３を投影で隠すことができる。しかし、傾斜天板４２は放熱穴３２から大きく離れてしまう。
一方、遮蔽板１６は、傾斜遮蔽部４６の先端部４６Ａが放熱穴３２の近傍に配置されている。
【００３１】
これにより、傾斜遮蔽部４６と高温部３１との開口４８を小さく抑えることができ、図示しない他器具の電源線などが高温部３１（特に、放熱穴３２）側に入り込むことを防ぐことができる。
加えて、傾斜遮蔽部４６で、放熱穴３２を覆うことで、天井１１の裏側（すなわち、天井裏）に、ランプから照射された照射光が漏れることを防ぐことができる。
【００３２】
つぎに、第２〜第３実施形態を図４〜図８に基づいて説明する。なお、第２〜第３実施形態において第１実施形態の埋込型照明器具１０と同一類似部材のものについては同じ符号を付して説明を省略する。
【００３３】
図４〜図５に示す第２実施形態の埋込型照明器具５０は、第１実施形態の埋込型照明器具１０に補助遮蔽板５１を備えたもので、その他の構成は第１実施形態の埋込型照明器具１０と同じである。
【００３４】
具体的には、補助遮蔽板５１は、回転部２８に設けられるとともに、傾斜遮蔽部４６の外側に、傾斜遮蔽部４６に沿って重なり合うように、傾斜角θ２で傾斜された状態で配置されている。
補助遮蔽板５１が回転部２８に設けられているので、回転部２８を回転させて、灯具１３を水平方向に回転させた際に、補助遮蔽板５１を回転部２８とともに回転させることができる。
【００３５】
よって、補助遮蔽板５１は、灯具１３を水平方向に回転させた際に、傾斜遮蔽部４６の先端部４６Ａに沿って重なり合わせた状態に保たれている。
これにより、図６〜図７に示すように、灯具１３を傾斜位置Ｐ２に配置した状態において、補助遮蔽板５１で高温部３１を覆うことが可能になる。
したがって、高温部３１の開口４８をより一層小さく抑えることができ、図示しない他器具の電源線などが高温部３１（特に、放熱穴３２）側に入り込むことを一層良好に防ぐことができる。
【００３６】
図８に示す第３実施形態の埋込型照明器具６０は、第１実施形態の埋込型照明器具１０に補助遮蔽板６１を備えたもので、その他の構成は第１実施形態の埋込型照明器具１０と同じである。
【００３７】
具体的には、補助遮蔽板６１は、灯具１３のソケット台１４に略鉛直に設けられている。よって、灯具１３を鉛直位置Ｐ１に配置した状態において、ソケット台１４の開口６２を補助遮蔽板６１で覆うことができる。
これにより、灯具１３を鉛直位置Ｐ１に配置した状態において、ソケット台１４の開口６２に、図示しない他器具の電源線などが入り込むことを防ぐことができる。
【００３８】
なお、本発明の埋込型照明器具は、前記第１〜第３の実施形態に限定されるものではなく、適宜の変更改良などが可能である。
例えば、前記第１〜第３の実施形態においては、埋込型照明器具１０，５０，６０を天井１１埋め込む例について説明したが、これに限らないで壁に埋め込むことも可能である。
【００３９】
また、前記第１〜第３の実施形態で示した灯具１３、ソケット台１４、天板１５、遮蔽板１６、板ばね２５、高温部３１、放熱穴３２などの形状は例示したものに限定するものではなく適宜変更が可能である。
【図面の簡単な説明】
【００４０】
【図１】本発明に係る埋込型照明器具の第１実施形態を示す斜視図である。
【図２】第１実施形態の埋込型照明器具の灯具を鉛直位置に配置した状態を示す断面図である。
【図３】第１実施形態の埋込型照明器具の灯具を傾斜位置に配置した状態を示す断面図である。
【図４】本発明に係る埋込型照明器具の第２実施形態を示す斜視図である。
【図５】第２実施形態の埋込型照明器具の灯具を鉛直位置に配置した状態を示す断面図である。
【図６】第２実施形態の埋込型照明器具の灯具を傾斜位置に配置した状態を示す断面図である。
【図７】第２実施形態の埋込型照明器具の灯具を傾斜位置に配置した状態の要部を示す斜視図である。
【図８】本発明に係る埋込型照明器具の第３実施形態を示す斜視図である。
【符号の説明】
【００４１】
１０，５０，６０  埋込型照明器具
１１  天井（取付面）
１３  灯具
１４  ソケット台（上部）
１５  天板
１６  遮蔽板
２５  板ばね（取付部）
３１  高温部
３２  放熱穴
３５  セード
【図１】
0004986871.tif 000002
【図２】
0004986871.tif 000003
【図３】
0004986871.tif 000004
【図４】
0004986871.tif 000005
【図５】
0004986871.tif 000006
【図６】
0004986871.tif 000007
【図７】
0004986871.tif 000008
【図８】
0004986871.tif 000009